(57)【要約】【課題】外反母趾や扁平足などの予防ないし進行阻止に効果があり、使用者の足に合った履き物用中敷又は履き物用中底を、足裏形情報等の足関連情報に基づいてオーダーメイドで容易に製造できる履き物用中敷等、その中敷等製造補助装置及び足裏形採取手段を提供する。【解決手段】中敷等製造補助装置は、使用者の足関連情報に応じた履き物用中敷等の製造に使用する、コンピュータを介する補助装置において、使用者の足関連情報を入力する入力手段と、予め各種足関連情報と中敷情報とをそれぞれ関連づけて格納する足・中敷情報テーブルと、前記テーブル中から使用者の足に合った中敷情報を選択する選択手段と、前記選択された中敷情報及び画像データを表示させる出力手段とを備えてなる。足裏形採取手段は、発色剤とこの発色剤によって反応して発色する物質を含有する紙質シートを組み合わせて使用する。【選択図】図１
2006141651.tif 000002
【特許請求の範囲】
【請求項１】
使用者の足関連情報に応じて中敷本体の所定位置に隆起パッドを設ける履き物用中敷又は履き物用中底の製造に使用する、コンピュータを介する補助装置において、使用者の足関連情報を入力する入力手段と、予め各種足関連情報と中敷本体、隆起パッド及び隆起パッドの取付位置等に関する中敷情報とをそれぞれ関連づけて格納する足・中敷情報テーブルと、前記入力された足関連情報に基づいて前記テーブル中から使用者の足に合った中敷情報を中央演算装置によりプログラムに従って選択する選択手段と、前記選択された中敷情報に基づきプログラムに従って所定の中敷本体中の所定位置に所定の隆起パッドを表した画像データ及び選択された中敷情報の何れか又は両方を表示させる出力手段と、を備えたことを特徴とする中敷等製造補助装置。
【請求項２】
前記情報入力手段として、足裏形採取手段によって採取した足裏形情報をイメージスキャナを介して読み込むことを特徴とする請求項１記載の中敷等製造補助装置。
【請求項３】
使用者の足裏形情報等の足関連情報に基づいて中敷本体の所定位置に隆起パッドを設けた履き物用中敷又は履き物用中底の製造における前記足裏形採取手段において、発色剤とこの発色剤によって反応して発色する物質を含有する紙質シートを組み合わせて使用するものであって、前記発色剤を使用者の足裏全体に塗り、次に前記紙質シートの上に速やかに足をのせて立ち上がり該足に体重をかけて、その後前記紙質シートから足を離すことによって、前記紙質シート上において足との接触面に足裏形を形成することを特徴とする足裏形採取手段。
【請求項４】
足裏形採取手段として、請求項３記載の足裏形採取手段を用いることを特徴とする請求項１又は２記載の中敷等製造補助装置。
【請求項５】
請求項１、２又は４記載の何れかの中敷等製造補助装置によって求めた各中敷情報乃至画像データに基づいて、所定の中敷本体の所定の位置に所定の隆起パッドを設けたことを特徴とする履き物用中敷又は履き物用中底。
【請求項６】
請求項３記載の足裏形採取手段によって採取した足裏形情報に基づいて、使用者の足に合った中敷本体、隆起パッド及び隆起パッドの取付位置を求め、所定の中敷本体の所定の位置に所定の隆起パッドを設けたことを特徴とする履き物用中敷又は履き物用中底。
【発明の詳細な説明】
【技術分野】
【０００１】
本発明は、外反母趾や扁平足などの予防ないし進行阻止に効果があり、使用者の足に合った履き物用中敷又は履き物用中底を、足裏形情報等の足関連情報に基づいてオーダーメイドで容易に製造できる履き物用中敷、その中敷等製造補助装置及び足裏形採取手段に関する。
【背景技術】
【０００２】
従来、外反母趾予防用の履き物用中敷として、例えば、「外反母趾対策用履物および靴中敷」（特許文献１）、「靴中敷き」（特許文献２）、及び「多機能靴中敷き」（特許文献３）が開示されている。前記各文献には足裏の各部位を定めて、凹凸部を設け、隆起を設け或いは弾性体パッドを貼り付けた靴中敷について開示されているものの、足裏の部位は人それぞれ千差万別の如く異なり、特に外反母趾或いは扁平足等の程度によってパッドの種類や貼り付ける位置が異なり、これを間違えると痛みが発生して歩行困難になり、或いは外反母趾等所期の予防効果が期待できないばかりでなく、かえって身体に悪い影響を与えてしまうという問題点があった。
【０００３】
前記問題点を解消するために、個人個人の足形を採取して一人ずつ対応する中敷きを製造する要望がある。足形採取装置として例えば、「靴中敷加工方法」（特許文献４）が開示されているが、該足裏形状測定装置によれば足裏形状が３次元に採取できる利点があるものの、装置が複雑であり該装置を遠隔地へ簡易に移送して足裏形を採取するには適していない。また、「フル・オーダーメイド靴の靴形の製造方法並びにそれに用いる足型採取器」（特許文献５）に開示される方法によれば、軟化させた熱可塑性樹脂を足に伸展させて型取りするもので、型取り採取に手間がかかる上、慣れや熟練を要するという問題点がある。また、「型採取装置及び型採取方法」（特許文献６）に開示されているフットプリンタは、前述の特許文献４の装置と比較して使い易いものの装置を遠隔地に移送して使用する点においては煩わしく手軽さに欠ける難点がある。
【０００４】
【特許文献１】特開平９−１４０４０５号公報
【特許文献２】特開２００１−３５３００５号公報
【特許文献３】特開２００４−２２９９９２号公報
【特許文献４】特開平３−２５８２０３号公報  第３図
【特許文献５】特開平９−２７６００５号公報  要約
【特許文献６】特開２００１−１７２０９号公報  従来の技術欄
【発明の開示】
【発明が解決しようとする課題】
【０００５】
本発明者は、遠隔地の顧客に対して、わざわざ現地に出向いて行かずに足裏形の採取ができ、この足裏形情報と中敷本体、隆起パッド及び隆起パッドの取付位置等に関する中敷情報との間に存在する関連性について鋭意研究した結果、本発明を想到するに至ったものであり、本発明の目的は、前記のような問題点を解消し、何ら特別の知識や技術を要することなく、墨汁を足に塗る等して足を汚すおそれもなく、安全且つ容易に足裏形を採取する足裏形採取手段と、係る足裏形情報、その他の足関連情報を入力するだけで、簡単にその足関連情報の提供者の足に合った中敷情報を得る中敷等製造補助装置と、これらの中敷情報に基づいてオーダーメイドで容易に製造可能な使用者の足に合った履き物用中敷又は履き物用中底とを提供することにある。
【課題を解決するための手段】
【０００６】
前記の課題を解決するために、本発明は、使用者の足関連情報に応じて中敷本体の所定位置に隆起パッドを設ける履き物用中敷又は履き物用中底の製造に使用する、コンピュータを介する補助装置において、使用者の足関連情報を入力する入力手段と、予め各種足関連情報と中敷本体、隆起パッド及び隆起パッドの取付位置等に関する中敷情報とをそれぞれ関連づけて格納する足・中敷情報テーブルと、前記入力された足関連情報に基づいて前記テーブル中から使用者の足に合った中敷情報を中央演算装置によりプログラムに従って選択する選択手段と、前記選択された中敷情報に基づきプログラムに従って所定の中敷本体中の所定位置に所定の隆起パッドを表した画像データ及び選択された中敷情報の何れか又は両方を表示させる出力手段と、を備えたことを特徴とする中敷等製造補助装置とする（請求項１）。
【０００７】
また、前記の課題を解決するために、本発明は、前記情報入力手段として、足裏形採取手段によって採取した足裏形情報をイメージスキャナを介して読み込むことを特徴とする前記の中敷等製造補助装置とすることが好ましい（請求項２）。
【０００８】
また、前記の課題を解決するために、本発明は、使用者の足裏形情報等の足関連情報に基づいて中敷本体の所定位置に隆起パッドを設けた履き物用中敷又は履き物用中底の製造における前記足裏形採取手段において、発色剤とこの発色剤によって反応して発色する物質を含有する紙質シートを組み合わせて使用するものであって、前記発色剤を使用者の足裏全体に塗り、次に前記紙質シートの上に速やかに足をのせて立ち上がり該足に体重をかけて、その後前記紙質シートから足を離すことによって、前記紙質シート上において足との接触面に足裏形を形成することを特徴とする足裏形採取手段とする（請求項３）。
【０００９】
また、前記の課題を解決するために、本発明は、足裏形採取手段として、前記の足裏形採取手段を用いることを特徴とする前記の中敷等製造補助装置とすることが好ましい（請求項４）。
【００１０】
また、前記の課題を解決するために、本発明は、前記の何れかの中敷等製造補助装置によって求めた各中敷情報乃至画像データに基づいて、所定の中敷本体の所定の位置に所定の隆起パッドを設けたことを特徴とする履き物用中敷又は履き物用中底とすることが好ましい（請求項５）。
【００１１】
また、前記の課題を解決するために、本発明は、前記の足裏形採取手段によって採取した足裏形情報に基づいて、使用者の足に合った中敷本体、隆起パッド及び隆起パッドの取付位置を求め、所定の中敷本体の所定の位置に所定の隆起パッドを設けたことを特徴とする履き物用中敷又は履き物用中底とすることが好ましい（請求項６）。
【発明の効果】
【００１２】
本発明の履き物用中敷の製造補助装置は、前記のように構成され、足裏形情報、その他の足関連情報を入力するだけで、簡単にその足関連情報の提供者の足に合った中敷情報を得ることができるので、特別な専門知識や技術がなくても簡単に且つ正確に使用者の足に合った履き物用中敷又は履き物用中底をオーダーメイドで製造することができる。また、本発明の足裏形採取手段は、特別な装置を使用することなく、発色剤とこの発色剤によって反応して発色する物質を含有する紙質シートがあれば、足を汚すこともなく安全にしかも何の抵抗感もなく、足裏形を採取できる。
【００１３】
更に、遠隔地の顧客であっても、この発色剤と紙質シートがあれば、顧客（使用者）自身の手によって足裏形を採取でき、採取した足裏形を製造者にファックスないし郵送できることは言うまでもないが、イメージスキャナで読み込んだデータをインターネットで送信して中敷等製造補助装置に入力することも可能である。そして前記の中敷等製造補助装置を使用することにより、使用者の足に合った履き物用中敷又は履き物用中底を正確に且つ経済的に製造する効果を奏する。
【発明を実施するための最良の形態】
【００１４】
次に、本発明を実施するための最良の形態（以下「本発明の実施の形態」と称する）について図面を参照して説明する。しかしながら本願発明は係る本発明の実施の形態によって何ら限定されるものではない。図１は、本発明の実施の形態に係る中敷製造工程を示すフローチャートであり、図２は、本発明の実施の形態に係る中敷等製造補助装置を示すブロック図であり、図３は、本発明の実施の形態に係る足裏形採取手段によって採取した足裏形情報に基づいて、中敷本体、隆起パッド及び隆起パッドの取付位置の画像データを例示した説明図であり、図４は、隆起パッドを例示した図であり、図５は、中敷本体に所定の隆起パッドを取り付けた図である。
【００１５】
現在多くの人が履いている靴が必ずしもその人の足に合っているとは言えず、むしろ体裁を重視するあまり、ハイヒールや極端な先細靴等足に合わない靴を長期間履くことによって、足が変形して外反母趾、偏平足、開帳足のような足の異常の原因になっている。外反母趾とは、足の親指（第１指）が小指（第５指）方向に「く」の字状に曲がり、親指のつけ根部分（中足骨骨頭部）が突出してくる進行性の変形性疾患である。親指は正常な足でも５〜１０度曲がっているが、外反母趾の場合、曲がる角度が１１〜１９度が軽症、２０度以上が要注意とされている。
【００１６】
症状が進行すると、親指が隣の指の上に乗ってしまったり、脱臼して完全に曲がってしまい、突き出た部分が靴に当たって痛みを生ずることがある。また、足の中足関節の靱帯が伸びきって、本来バネの役割をしてくれる足裏の縦アーチと横アーチがくずれて足の裏が平らになった足を開帳足と言う。外反母趾の人は開帳足を起こしていることが多く、外反母趾は開帳足から始まるとも言われている。扁平足は、土踏まずの縦アーチが低くなり足の裏が平らな足を言う。一方、外反母趾では足のつけ根にある横アーチが低くなり、この部分の幅が広くなる。
【００１７】
外反母趾の原因は横アーチの低下なので、履き物用中敷の土踏まずより前の中央部に当たる部分に隆起パッドを入れて高くすることにより外反母趾の予防と進行を阻止できること、扁平足の場合は縦アーチの低下なので、土踏まずの部分に隆起パッドを入れて高くすることは既に公知である。しかし、足の変形の程度により隆起パッドの高さや取付位置が異なり、通常は、足裏形を採取して足裏にかかる圧力を調べて、取り付け位置や高さを決定することから、専門家の勘と経験によることろが大きい。
【００１８】
そこで、本発明者は、長年の経験に基づいて足裏形から足の変形の程度をランク付けし、足の変形の程度と最適な隆起パッドの高さ及び取付位置の相関関係を足関連情報と中敷情報として対比関連づけた。表１は、足・中敷情報テーブルを示す。表１によれば、足関連情報として、足の親指（第１指）の変形の程度を、例えば、正常（５〜１０度）、軽症（１１〜１９度）、要注意（２０度以上）の３ランクに分け、親指の変形の程度に応じて、中敷情報として、正常の場合は、隆起パッドの高さを１８〜１１ｍｍ、取付位置を１〜３ｍｍ、軽症の場合は、隆起パッドの高さを１０〜７ｍｍ、取付位置を４〜６ｍｍ、要注意の場合は、隆起パッドの高さを６〜３ｍｍ、取付位置を７〜９ｍｍとして、係る足関連情報と中敷情報とをそれぞれ関連づけて、コンピュータの記憶領域の足・中敷情報テーブルに格納しておき、選択手段によって前記の中敷情報から最適の情報を選ぶこととなる。
【００１９】
【表１】
2006141651.tif 000003
【００２０】
本実施の形態に使用する隆起パッドのうち、横アーチ保持用隆起パッド１３ａ（ＨＡ）は、図４（ａ）（ｂ）に示すように平面視、一端が円形状で、他端が尖角状をなし、円形状のほぼ中心部が頂点をなす、なだらかな隆起を形成する。表１において、隆起パッドの高さは、隆起パッドの接地点から頂点までの距離を言うものとする。また、隆起パッドの取付位置は、図３に示すように、第２指と踵の中心部を直線（Ａ）で結び、次に母趾球と小趾球を直線（Ｂ）で結び、前記両直線（Ａ）と（Ｂ）の交点から前記隆起パッドの円形状の先端部までの距離を言うものとする。表１に示すように、隆起パッドの高さと取付位置は、外反母趾の症状と密接な関係があり、正常な場合には、隆起パッドの高さを比較的高くして、取付位置を前方寄りにし、症状が進行するに従って、隆起パッドの高さを低くして後方寄りに設置することが好ましい。
【００２１】
縦アーチ保持用隆起パッド１３ｂ（ＶＡ）は、図４（ｃ）（ｄ）に示すように、ほぼ足の接地面と土踏まずの間に形成される空間に匹敵する形状に形成される。即ち、平面視、上下閉じたほぼ唇形状にして長手方向になだらかに隆起した形状をなす。表１に示すように、横アーチ保持用隆起パッド１３ａ（ＨＡ）に準じて、扁平足の程度、即ち足裏形の土踏まずの空間の面積の大きさを、大、中、小にランク付けし、このランクに応じて隆起の高さを、２５〜１７ｍｍ、１６〜１０ｍｍ、９〜５ｍｍとしてそれぞれ関連づけて、足・中敷情報テーブルに格納しておく。取付位置は足裏形の土踏まずの位置に相当する位置に取り付けるように設定すればよい。前記外反母趾や扁平足の程度は、足裏形から目視により判定し又は親指の曲がり角度や土踏まずの面積を測定して、足関連情報として入力手段にて入力する以外に、入力された足裏形の図形情報から、公知手段に基づいて中央演算装置により親指の曲がり角度や土踏まずの面積を算出し、これらの数値を使用者の足関連情報としてもよい。
【００２２】
足関連情報と中敷情報の関連付けの例としては、前記の他に、足のサイズと履き物用中敷のサイズの関連付け、靴の種類として、スニーカー・カジュアルシューズ用又はパンプス・ビジネスシューズ用など靴の種類と中敷本体の形状との関連付け、スポーツその他歩行の頻度と履き物用中敷の隆起パッドの高さ乃至取付位置の関連付け、などがある。これらの付加情報のうちで、スポーツその他歩行の頻度等は、係数化して隆起パッドの高さ乃至取付位置と関連づけておき、例えば、頻度が小の場合を１．０、中の場合を１．０５、大の場合を１．１０と定め、親指変形度から定まる隆起パッドの取付位置に前記係数を乗じた数値を取付位置とし、隆起パッドの高さは前記係数で除した数値として、中敷情報に反映させるようにプログラムに組み込むことが好ましい。この他にも履き物用中敷に影響を与えるファクターとして考えられるものはできるだけ多く係数化により関連付けして足・中敷情報テーブルに格納しておくことが使用者の足にあった中敷を製造する上でより好ましい。
【００２３】
図２に示すように、本発明の実施の形態に係る中敷等製造補助装置は、コンピュータを制御するための制御プログラム１ａと前記テーブル中から使用者の足に合った中敷情報を選択する選択プログラム１ｂと前記選択された中敷情報に基づき所定の中敷本体中の所定位置に所定の隆起パッドを表した画像を作成する画像作成プログラム１ｃとを記憶するための記憶装置１と、各種足関連情報と中敷情報とをそれぞれ関連づけて表形式に格納するための足・中敷情報テーブル２ａを記憶するための記憶装置２と、中央演算装置３と、使用者の足関連情報を入力する入力手段４と、画像データ乃至中敷情報を表示させる出力手段５と、を備える。
【００２４】
次に、本発明の実施の形態に係る足裏形採取手段について説明する。発色剤とこの発色剤によって反応して発色する物質を含有する紙質シートを組み合わせて使用するものである。発色剤には、例えば、第一鉄イオン又は第二鉄イオン等の鉄イオンを含む液体があり、この発色剤に反応する物質としては、タンニン酸類がある。予め紙質シートである比較的耐水性を備えた紙をタンニン酸溶液に浸漬処理してタンニン酸を含有させておき、発色剤である硫酸第一鉄、硫酸第二鉄、塩化第二鉄等の鉄イオンを含む溶液を足裏に塗って、この紙の上に速やかに足をのせて立ち上がり該足に体重をかけて、その後紙から足を離すことによって、鉄イオンとタンニン酸が着色反応して青色乃至黒色のタンニン鉄が生成し、紙と足との接触面に足裏形を形成する。このような発色剤と発色シートの例としては、パイロットインキ社製の発色液と発色紙が市販されている。
【００２５】
前記のタンニン酸と鉄イオンの組み合わせ以外に、無色のロイコ染料（ルイス塩基）とロイコ染料の顕色剤（ルイス酸）とを組み合わせて用いてもよい。ロイコ染料は建染染料の一種であり、酸化還元反応によりロイコ体が生成して着色する。顕色剤としては、例えばビスフェノールＡの溶液がある。この溶液に紙を浸漬して乾燥したものを発色紙とし、無色のロイコ染料を発色剤として足裏に塗布して前記と同様にして足裏形を採取する。
【００２６】
前記の発色剤とこの発色剤によって反応して発色する物質を含有する紙質シートを組み合わせて使用することによって、例えば墨汁を足裏に塗って足裏形を採取する方法に比較して足裏の汚れを洗い落とす煩わしさから開放されるばかりでなく、足に体重をかけて足裏形を採取した場合に、体重のかかっている部分とかかっていない部分との差が比較的鮮明に現れるので歩行する際の足裏にかかる圧力を推測する手がかりが得られ、中敷情報としてより精確で高度な情報を入手できるメリットがある。
【００２７】
図１に示すフローチャートを参照して、本発明の実施の形態に係る中敷製造工程を説明する。先ずＳ１ステップにより、予め入力手段によって足関連情報と中敷情報とがそれぞれ関連づけされてコンピュータ（中敷等製造補助装置）に入力されると、足関連情報と中敷情報は、１件が１レコードとして記憶装置２の足・中敷情報テーブル２ａに表形式に格納される。次に、Ｓ２ステップにより、履き物用中敷使用者の足裏形情報やその他の足関連情報が入力されると、Ｓ３ステップにより、選択プログラム１ｂに従って前記テーブル中の足関連情報の中から使用者の足関連情報と一致するデータを検索し、関連づけされた中敷情報が選択される。次に、Ｓ４ステップにより、前記中敷情報に基づいて、予め定められたサイズと形状の中敷本体から中敷使用者の足裏形に最も近似した中敷本体が選択手段により選択され、画像作成プログラム１ｃに従って、中敷使用者の足裏形の周囲にその輪郭線と隆起パッドの輪郭線が画像データとして作成され、Ｓ５ステップにより前記中敷データ乃至画像データが出力される。以上が中敷等製造補助装置に関する動作（Ｓ６ステップ）である。
【００２８】
前記の中敷等製造補助装置によって得られた中敷本体、隆起パッド及び隆起パッドの取付位置等に関する中敷情報に基づいて、Ｓ７ステップにより履き物用中敷１０を容易に製造することができるのである。履き物用中敷の製造方法は特に限定されるものではないが、例えば、前記中敷等製造補助装置をＸ−Ｙプロッタ乃至プリンターと連動させて所定の中敷本体に隆起パッドの取付位置を表示させてもよい。この隆起パッドの取付位置に中敷等製造補助装置によって求められた所定の高さの隆起パッドを貼り付けて履き物用中敷が完成する。履き物用中敷の材料は特に限定されず、市販品を用いてもよい。
【実施例１】
【００２９】
次に、実施例１について以下に図に基づいて説明する。最初に前記パイロットインキ社製の発色液と発色紙を用いて足裏形採取手段に従って足裏形を採取する。この足裏形をイメージスキャナで読み込んでコンピュータに入力する。併せて、足の親指変形度、土踏まずの面積、足のサイズ、靴の種類等の足関連情報を入力手段によって入力する。前記入力された足関連情報に基づいて、中敷等製造補助装置が、使用者の足のサイズと靴の種類に合う中敷本体を選択し、コンピュータのモニターに中敷本体の輪郭線並びに足の親指変形度と土踏まずの面積に応じた隆起パッドを所定位置に表示する。前記の選択された中敷本体をプロッタの所定位置にセットすると、プロッタにより隆起パッドの取付位置が前記中敷本体の裏面にプロットされる。
【００３０】
次に、中敷本体の裏面の前記取付位置に、中敷等製造補助装置が選択した所定の隆起パッドを所定の高さに加工して、のり付けして貼着する。本実施例では、図５に示すように、中敷本体１１は裏面側がポリエチレンの発泡体の表面に起毛乃至ワナを形成した布地を積層した二層構造からなり、所定の形状の金型を取り付けたホットプレスにより踵から土踏まずにかけて両側をやや立ち上げた形状に形成し、裏面の土踏まずより前の中央部と、土踏まずの部分に、それぞれ隆起パッド（ＨＡ）１３ａと隆起パッド（ＶＡ）１３ｂを貼り付け、踵に踵部１５を貼り付けた。中敷本体の構造や隆起パッドの取付個所は、使用者の条件に応じて変更できることは言うまでもない。隆起パッドの材質はある程度弾力性のあるゴム乃至ウレタンなどの素材でスポンジ状（独立気泡）のものが好ましい。また、本実施例では隆起パッドを中敷本体の裏側に取り付けたが表面乃至表面層と裏面層の中間に取り付けてもよい。
【実施例２】
【００３１】
前記実施例１において、プロッタにより隆起パッドの取付位置を前記中敷本体の裏面にプロットしたのに代えて、プリンタにより隆起パッドの取付位置を転写用シートに印刷し、これを中敷本体の裏面に転写することを特徴とする以外は実施例１と同様とする。但し、転写後の位置が逆にならないように考慮する必要がある。また、中敷等製造補助装置を介さずに本発明の実施の形態に係る足裏形採取手段によって採取した足裏形とその他の足関連情報に基づいて、中敷本体に隆起パッドの取付位置を直接表示して、ここに隆起パッドを取り付けた履き物用中敷も本発明の範囲に含まれる。
【００３２】
また、隆起パッドを中敷本体の裏面に代えて中敷本体の表面に貼り付けてもよい。更に、これまでの説明では、主として履き物用中敷を対象にしているが、本発明は履き物用中敷に限定されるものではなく、本発明の趣旨に合致する限りにおいて、履き物用の中底等に適用することができ、係る履き物用中底も本発明の範囲に含まれるものである。
【産業上の利用可能性】
【００３３】
本発明に係る履き物用中敷又は履き物用中底、その中敷等製造補助装置及び足裏形採取手段は、外反母趾や扁平足などの予防ないし進行阻止に効果があり、使用者の足に合った履き物用中敷を、足裏形情報等の足関連情報に基づいて容易に製造できるので極めて有用である。
【図面の簡単な説明】
【００３４】
【図１】本発明の実施の形態に係る中敷製造工程を示すフローチャートである。
【図２】本発明の実施の形態に係る中敷等製造補助装置を示すブロック図である。
【図３】足裏形情報と、中敷本体、隆起パッド及び隆起パッドの取付位置を示す画像データを例示した説明図である。
【図４】本発明の実施の形態に係る隆起パッドを例示した説明図である。
【図５】実施例に係る中敷本体に所定の隆起パッドを取り付けた履き物用中敷の説明図である。
【符号の説明】
【００３５】
１：記憶装置１、２：記憶装置２、３：中央演算装置、４：入力手段、５：出力手段、
１０：履き物用中敷、１１：中敷本体、１２：中敷本体輪郭線、１３ａ：横アーチ保持用隆起パッド（ＨＡ）、１３ｂ：縦アーチ保持用隆起パッド（ＶＡ）、１４：足裏形、１５：踵部
【図１】
2006141651.tif 000004
【図２】
2006141651.tif 000005
【図３】
2006141651.tif 000006
【図４】
2006141651.tif 000007
【図５】
2006141651.tif 000008